(57)【特許請求の範囲】
【請求項１】
医療用酸素ボンベに固着され、該医療用酸素ボンベのネック部と当接する基部と、内部に配置された弁と、前記基部から予め設定された高さを有する側面に形成され前記弁と接続された開口部と、端部には前記弁の開閉を行う開閉部材が配置された口金に、該口金を嵌合して取り付ける取付部材と、該口金に形成された開口部に接続されるノズルと、を有し、且つ前記取付部材には該口金に形成された開口部に嵌合した前記ノズルを口金に押圧するための押圧部材が配置された医療用酸素供給装置を取り付ける際の取付治具であって、
前記医療用酸素供給装置を構成する取付部材に摺動可能に装着される摺動部と、
前記摺動部の摺動方向と交差する方向に形成され、前記医療用酸素ボンベの口金の断面形状と対応する形状を有し、該口金に嵌装される嵌装部と、
前記口金の基部と当接する当接部と、を有し、
前記嵌装部の一方の端部に前記摺動部が配置されると共に他方の端部に前記当接部が配置され、該当接部が前記口金の基部に当接したとき前記医療用酸素供給装置のノズルが前記口金の側面に形成された開口部に対向し得るように形成されていることを特徴とする取付治具。
【発明の詳細な説明】
【技術分野】
【０００１】
本発明は医療用酸素ボンベの口金に医療用酸素供給装置を取り付ける際に用いる取付治具に関し、特に、在宅医療に際し患者が容易に取り付けることを実現した取付治具に関するものである。
【背景技術】
【０００２】
在宅医療に際し患者に酸素ガスを供給する場合、口金に医療用酸素供給装置を取り付けた小型の医療用酸素ボンベを利用するのが一般的である。医療用酸素ボンベは酸素ガスの充填量に制限があるため、該医療用酸素ボンベに対する医療用酸素供給装置の取り付け、取り外しを行う必要があり、この作業は在宅医療に携わる人が行っている。
【０００３】
以下、医療用酸素ボンベ及び医療用酸素供給装置の構成、及び医療用酸素供給装置を医療用酸素ボンベに取り付ける際の作業について図５により簡単に説明する。
【０００４】
医療用酸素ボンベ１０は、耐圧容器１１の端部に口金１２が固着されており、この口金１２の内部に弁が、先端部分に該弁を開閉操作するための開閉部材となるハンドル１３が配置され、側面１２ａに弁と連通し医療用酸素の充填又は放出する際に、医療用酸素供給装置２０のノズル２５（図３（ａ）参照）或いは医療用酸素を充填するためのノズルが装着される開口部１４（図４（ａ）参照）が形成されている。
【０００５】
上記医療用酸素ボンベ１０に取り付けられる医療用酸素供給装置２０は、医療用酸素ボンベ１０から供給された高い圧力を持った医療用酸素を患者に適用する圧力まで減圧する減圧機構を内蔵した本体２１を有している。この本体２１の一方側の端面に医療用酸素ボンベ１０の口金１２に形成された開口部１４に装着されるノズル２５（図３（ａ）参照）が形成され、該医療用酸素供給装置２０を口金１２に取り付けるための取付部材２２が本体２１と一体的に形成されている。また、本体２１の他方側の端部に患者に医療用酸素を供給するホースを取り付けるホース差し２３が設けられている。
【０００６】
医療用酸素供給装置２０の本体２１と一体的に形成した取付部材２２は、口金１２に於ける開口部１４が形成された側面１２ａの幅寸法よりも僅かに大きい寸法を持つ横片２２ａと、開口部が形成された側面１２ａと直交する側面１２ｂの寸法よりも充分に大きい寸法を持つ縦片２２ｂと、を有する略長方形に形成されている。そして、これら各片２２ａ、２２ｂによって略長方形の嵌合穴２２ｃが形成されている。
【０００７】
取付部材２２の本体側の面は本体２１の端面２１ａと共通しており、この端面２１ａにノズル２５が形成されている。また、自由端側の横片２２ａには固定ねじ２４が設けられており、この固定ねじ２４によって医療用酸素供給装置２０を医療酸素ボンベ１０の口金１２に固定し得るように構成されている。
【０００８】
医療用酸素供給装置２０の本体２１に設けたノズル２５から予め設定された位置に一対のロールピン２６（図３（ａ）参照）が起立しており、医療用酸素ボンベ１０の口金１２に設けた開口部から離隔した位置に前記ロールピン２６を嵌合させる一対の穴１５が形成されている。そして、医療酸素供給装置２０を医療用酸素ボンベ１０に取り付ける際には、ロールピン２６を穴１５に嵌合させている。
【０００９】
上記の如く構成された医療用酸素供給装置２０を医療用酸素ボンベ１０に取り付ける場合、予め取付部材２２に螺合されている固定ねじ２４を反時計方向に回転させて、固定ねじ２４の先端を横片２２ａの内側の表面に一致させる程度まで戻しておく。次に、取付部材２２を嵌合穴２２ｃが口金１２の上方にあるようにし、該嵌合穴２２ｃに口金１２を嵌合させ、本体２１に設けたノズル２５を口金１２の側面１２ａに形成された開口部に対向させる。そして、ノズル２５が開口部に対向したとき、その位置で保持して固定ねじ２４を時計方向に回転させ、該固定ねじ２４の先端で口金１２を押圧してノズル２５の開口部に対する嵌合を確実にする。
【００１０】
上記の如くして医療用酸素供給装置２０を医療用酸素ボンベ１０に取り付けたとき、医療用酸素供給装置２０の本体２１は医療用酸素ボンベ１０の口金１２に対し交差する姿勢を保持し、口金１２のハンドル１３は取付部材２２の嵌合穴２２ｃを貫通して露出する。従って、露出しているハンドル１３を回転操作することで、医療用酸素ボンベ１０に充填された酸素を医療用酸素供給装置２０に供給することができる。
【発明の概要】
【発明が解決しようとする課題】
【００１１】
上記の如くして医療用酸素供給装置２０を医療用酸素ボンベ１０に取り付けるが、取付部材２２の嵌合穴２２ｃを口金１２に嵌合させたとき、側面１２ａに形成された開口部１４や穴１５が見えにくくなり、これらにノズル２５やロールピン２６を一致させるのが容易ではない、という問題がある。
【００１２】
本発明の目的は、どのような人であっても医療用酸素ボンベに対して医療用酸素供給装置を取り付ける操作を簡単に且つ確実に行えるようにした取付治具を提供することにある。
【課題を解決するための手段】
【００１３】
上記課題を解決するために本発明に係る取付治具は、医療用酸素ボンベに固着され、該医療用酸素ボンベのネック部と当接する基部と、内部に配置された弁と、前記基部から予め設定された高さを有する側面に形成され前記弁と接続された開口部と、端部には前記弁の開閉を行う開閉部材が配置された口金に、該口金を嵌合して取り付ける取付部材と、該口金に形成された開口部に接続されるノズルと、を有し、且つ前記取付部材には該口金に形成された開口部に嵌合した前記ノズルを口金に押圧するための押圧部材が配置された記医療用酸素供給装置を取り付ける際の取付治具であって、前記医療用酸素供給装置を構成する取付部材に摺動可能に装着される摺動部と、前記摺動部の摺動方向と交差する方向に形成され、前記医療用酸素ボンベの口金の断面形状と対応する形状を有し、該口金に嵌装される嵌装部と、前記口金の基部と当接する当接部と、を有し、前記嵌装部の一方の端部に前記摺動部が配置されると共に他方の端部に前記当接部が配置され、該当接部が前記口金の基部に当接したとき前記医療用酸素供給装置のノズルが前記口金の側面に形成された開口部に対向し得るように形成されているものである。
【発明の効果】
【００１４】
本発明に係る取付治具では、医療用酸素供給装置（以下「供給装置」という）の取付部材に装着される摺動部と、該摺動部の摺動方向と交差する方向に形成され医療用酸素ボンベ（以下「ボンベ」という）の口金に嵌装される嵌装部と、を有している。特に、嵌装部は、口金の断面形状と対応する形状を有する筒状に形成され、且つ端面が口金の元部に当接したとき供給装置のノズルが口金の開口部に対向し得るように形成されている。
【００１５】
取付治具の摺動部を供給装置の取付部材に装着すると、筒状に形成された嵌装部が取付部材に対し交差する方向に配置される。そして、嵌装部を口金に対向させて嵌装すると、この嵌装と同時に取付部材も口金に装着される。特に、取付治具は、嵌装部の当接部が口金の基部に当接したとき、供給装置のノズルが口金の開口部と対向し得るように構成されているため、単に嵌装部を口金に嵌装するという単純な作業で確実にノズルを開口に対向させることができる。
【００１６】
このため、供給装置の取付部材に配置された押圧部材を操作することで、ノズルを口金に形成された開口部に挿入して取り付けることができる。従って、簡単な操作で確実にボンベに対し供給装置を取り付けることができる。
【図面の簡単な説明】
【００１７】
【図１】本実施例に係る取付治具を説明する図である。
【図２】本実施例に係る取付治具を説明する断面図である。
【図３】取付治具を酸素供給装置に装着する際の手順を説明する図である。
【図４】取付治具を取り付けた酸素供給装置を酸素ボンベに取り付ける際の手順を説明する図である。
【図５】従来の酸素ボンベに対する酸素供給装置のを取付状態を説明する図である。
【発明を実施するための形態】
【００１８】
以下、本発明に係る取付治具Ａの実施例について図１，図２により説明する。尚、取付治具Ａは、図５に示す現在一般的に利用されているボンベ１０に供給装置２０を取り付ける際に用いられるものである。このため、以下の説明に於いて同図と同じ部分には同一の符号を付して説明を省略する。
【００１９】
ボンベ１０の口金１２の形状について説明を加えると図４、図５に示すように、口金１２はボンベ１０を構成する耐圧容器１１のネック部１１ａに強固に固着されている。ネック部１１ａと当接する部分には円形の基部１２ｃが形成されており、該基部１２ｃを高さ方向の寸法基準として側面１２ａに予め設定された高さに開口部１４及びピン穴１５が形成されている。
【００２０】
供給装置２０について説明を加えると図３（ａ）、図５に示すように、ノズル２５は、取付部材２２に形成された嵌合穴２２ｃの内側であって本体２１の端面２１ａに於ける供給装置２０の中心線２０ａに一致した位置に形成されている。また、ロールピン２６は、本体２１の端面２１ａに於けるノズル２５から予め設定された寸法だけ離隔した位置に配置されている。特に、取付部材２２の縦片２２ｂの両側面は、取付治具Ａの摺動部１と接触して摺動する際の摺動面２２ｄとして形成されている。
【００２１】
本体２１の内部には図示しない減圧機構が構成されており、ノズル２５を介してボンベ１０から供給された高い圧力を持った酸素を患者に適用するのに適した圧力に調整し得るように構成されている。そして、ホース差し２３に接続した図示しないチューブを介して患者に酸素を供給することが可能である。
【００２２】
図に示す取付治具Ａは、供給装置２０の取付部材２２に摺動可能に装着される摺動部１と、摺動部１の摺動方向と交差する方向に形成されボンベ１０の口金１２に嵌装される嵌装部２と、を有して構成されている。本実施例では、摺動部１による取付部材２２の摺動方向（縦片２２ｂに沿った方向）と、嵌装部２による口金１２に対する嵌装方向（口金１２の長手方向）は直交している。
【００２３】
取付治具Ａを構成する摺動部１と嵌装部２は、合成樹脂によって一体的に成形されている。そして、摺動部１を供給装置２０の取付部材２２に装着し、この状態で嵌装部２をボンベ１０の口金１２に嵌装したとき、ノズル２５が口金１２の開口部１４に対向し、且つロールピン２６が穴１５に対向し得るように構成されている。
【００２４】
摺動部１は、取付部材２２の縦片２２ｂの外周を包み込むように嵌合し、この状態で縦片２２ｂに沿って本体２１側から固定ねじ２４側に摺動する。そして、この摺動によってノズル２５を口金１２のハンドル１３との衝突を防ぐように回避させることが可能であり、また押圧部材となる固定ねじ２４の回転に伴ってノズル２５を口金１２に形成された開口部に移動させて円滑に結合することが可能である。
【００２５】
供給装置２０をボンベ１０の口金１２に装着したとき、該口金１２の端部に配置されたハンドル１３は取付部材２２の嵌合穴２２ｃを貫通する。このため、摺動部１は、ハンドル１３との干渉を避けるために、嵌装部２の端部から起立して形成された一対の挟持片１ａによって構成されている。
【００２６】
挟持片１ａは一端が嵌装部２に一体化して形成されており、取付部材２２の縦片２２ｂと対応する胴部１ｂと、胴部１ｂの自由端に設けられ互いに接近する方向に屈折して形成された係合片１ｃと、を有して形成されている。胴部１ｂは縦片２２ｂの外形形状よりも僅かに大きい相似形の断面形状を有しており、係止片１ｃの対向する先端部分の間隔は取付部材２２の嵌合穴２２ｃの横方向の寸法よりも大きい寸法で形成されている。
【００２７】
特に、挟持片１ａが嵌装部２から起立する際に該嵌装部２の端部との間で形成された面は、取付部材２２の縦片２２ｂの摺動面２２ｄと接触して摺動する摺動面１ｄとして形成されている。このため、取付治具Ａの摺動部１に取付部材２２を嵌合させたとき、供給装置２０の摺動面２２ｄと、取付治具Ａの摺動面１ｄが互いに接触し、該摺動部１に沿って円滑に摺動することが可能である。そして、係合片１ｃが嵌合穴２２ｃを被蓋することがないため、口金１２が嵌合穴２２ｃを貫通する際に挟持片１ａが干渉することがない。
【００２８】
嵌装部２はボンベ１０の口金１２に嵌装されるものであり、口金１２の断面形状と対応する形状を有する筒状の本体部２ａを有している。即ち、本体部２ａは、口金１２の側面１２ａよりも僅かに大きい寸法を有する短片２ｂと、側面１２ｂよりも僅かに大きい長片２ｃと、からなる断面長方形の角筒状に形成されている。そして、本体部２ａの一方の端部に摺動部１を構成する挟持片１ａが形成され、他方の端部側の内面に口金１２の基部１２ｃと当接する当接部２ｄが形成されている。
【００２９】
摺動部１を構成する一対の挟持片１ａは、嵌装部２の長片２ｃの端部に該長片２ｃの延長方向に形成されている。即ち、本体部２ａの長片２ｃの端部から胴部１ｂが立ち上がり、この胴部１ｂの自由端が互いに対向する挟持片１ａ側に向かって屈折した係合片１ｃが形成されている。
【００３０】
本体部２ａの他方の端部側は口金１２の基部１２ｃの形状に対応した円形で、且つ基部１２ｃの厚さに対応した深さを有する略円筒状に形成されており、内面に形成されたテーパ面が基部１２ｃの外周面と当接する当接部２ｄとして形成されている。特に、当接部２ｄから摺動面１ｄまでの寸法Ｌは、口金１２の基部１２ｃから開口部までの寸法に対応させた値に設定されており、取付治具Ａを口金１２に嵌装して当接部２ｄが基部１２ｃに当接したとき、供給装置２０のノズル２５が開口部１４と対向し得るように構成されている。
【００３１】
嵌装部２を構成する二つの短片２ｂのうち一方の短片２ｂの摺動部１側の端部には切欠部２ｅが形成されており、この切欠部２ｅによって供給装置２０に設けたロールピン２６との干渉を回避し得るように構成されている。
【００３２】
また、嵌装部２の本体部２ａには、長片２ｃの他方側の端部から挟持片１ａの立ち上がり基部に至る切欠部２ｆが形成されている。この切欠部２ｆは必ずしも必要なものではなく、口金１２にボンベ１０に於ける酸素の残量を表示する表示部が設けられているような場合、切欠部２ｆがこの表示部と対向し得るように構成されている。
【００３３】
次に上記の如く構成された取付治具Ａを利用して供給装置２０をボンベ１０に取り付ける際の手順について図３、図４により説明する。
【００３４】
先ず、図３により、取付治具Ａを供給装置２０の取付部材２２に取り付ける手順を説明する。図３（ａ）に示すように、供給装置２０の取付部材２２に螺合してある固定ねじ２４を該取付部材２２から離脱させる。そして、摺動部１の挟持片１ａを取付部材２２の縦片２２ｂに対向させると共に嵌合する。その後、同図（ｂ）に示すように、固定ねじ２４を取付部材２２に螺合させる。このとき、固定ねじ２４は、ねじ２４ａが取付部材２２を貫通して嵌合穴２２ｃ側に突出させることなく、単に落下することがない程度に螺合していれば良い。
【００３５】
上記の如くして取付治具Ａを取付部材２２に取り付けたとき、該取付治具Ａは取付部材２２の縦片２２ｂに沿って摺動可能となる。しかし、固定ねじ２４の摘み２４ａの径が大きいため、取付治具Ａが取付部材２２から離脱することはない。
【００３６】
次いで図４（ａ）に示すように、取付治具Ａの嵌装部２をボンベ１０の口金１２の上方に配置して嵌装させる。このとき、固定ねじ２４のねじ２４ａが嵌合穴２２ｃに露出することがないため、同図（ｂ）に示すように円滑な嵌装を実現することが可能である。そして、取付治具Ａの嵌装部２に設けた当接部２ｄが口金１２の基部１２ｃに当接したとき、供給装置２０のノズル２５が口金１２に形成した開口部と対向し、ロールピン２６が開口部の下側に設けた穴に対向する。
【００３７】
更に、同図（ｃ）に示すように、固定ねじ２４を締め付けることで、ねじ２４ａが口金１２の開口部１４とは反対側の側面１２ａに当接し、相対的に供給装置２０は取付部材２２の摺動面２２ｄと取付治具Ａの摺動面１ｄとが接触摺動して矢印ａ方向に移動する。そして、供給装置２０に設けたノズル２５が開口部１４に嵌合すると共にロールピン２６が穴１５に嵌合する。
【００３８】
このように、取付治具Ａを利用して供給装置２０をボンベ１０の口金１２に対して取り付ける際に、従来のように供給装置を片手で保持しながらノズルを開口部に対向したか否かを目視により確認する必要がなく、容易に確実に取り付けることが可能である。
【産業上の利用可能性】
【００３９】
本発明に係る取付治具は、医療用酸素が充填されたボンベに供給装置を取り付ける際の作用を容易に行うことが可能であり有利である。
【符号の説明】
【００４０】
Ａ                取付治具
１                摺動部
１ａ              挟持片
１ｂ              胴部
１ｃ              係合片
１ｄ              摺動面
２                嵌装部２
２ａ              本体部
２ｂ              短片
２ｃ              長片
２ｄ              当接部
２ｅ、２ｆ        切欠部
１０              ボンベ
１１              耐圧容器
１１ａ            ネック部
１２              口金
１２ａ、１２ｂ    側面
１２ｃ            基部
１３              ハンドル
１４              開口部
１５              穴
２０              供給装置
２０ａ            中心線
２１              本体
２１ａ            端面
２２              取付部材
２２ａ            横片
２２ｂ            縦片
２２ｃ            嵌合穴
２２ｄ            摺動面
２３              ホース差し
２４              固定ねじ
２４ａ            ねじ
２４ｂ            摘み
２５              ノズル
２６              ロールピン
【図１】
0006494345.tif 000002
【図２】
0006494345.tif 000003
【図３】
0006494345.tif 000004
【図４】
0006494345.tif 000005
【図５】
0006494345.tif 000006